(57)【要約】【課題】  防水カバーがカメラへの取り付け具から容易に着脱できるカメラの防水具である。【解決手段】  防水カバー１ａと、防水カバーをカメラに装着する取り付け具１ｂとで防水具１を構成する。取り付け具はリングの外周にオス型ネジ４ａを施した装着体４と当該装着体に螺合する止着体５で構成されている。カバー部材２で装着体の開口部４ｄとオス型ネジ４ａを被覆し、止着体を螺入すると、ネジの間にカバー部材２ｂの部分が挟着されるので、雨水の浸入はなく、防水カバーは取り付け具から外れない。装着体４はレンズ筒９に装着され、開口部のカバー部材２ａは撮影光を妨害するので、切除して光路を確保する。【選択図】  図１
2007058142.tif 000002
【特許請求の範囲】
【請求項１】
防水部材として軟質で薄手のカバー材を使用する防水具にあって、
防水具は防水カバーと当該防水カバーを取り付ける取り付け具から構成され、上記取り付け具は、互いに係合する一対のリング状体で構成され、内側のリング状体はレンズ筒に係着固定される装着体として、外側のリング状体は上記装着体に上記防水カバーを防水状態に係止する止着体として構成されたことを特徴とするカメラの防水具。
【請求項２】
上記取り付け具は、上記装着体の外周にオス型ネジを設け一端に鍔部を設もうけ、上記止着体の内側に上記装着体のネジに螺合するネジが設けられたことを特徴とする請求項１に記載のカメラの防水具
【請求項３】
上記装着体の中空内に、当該装着体とレンズ筒を係合する鍔状の支持体を設けたことを特徴とする請求項１又は２に記載のカメラの防水具
【請求項４】
上記装着体は、レンズ筒の突出に相当する外筐部を設け、当該外筐部がカメラに取り付けられたことを特徴とする請求項１又は２に記載のカメラの防水具
【請求項５】
上記防水カバーは、カメラの本体を被包する矩形体状の袋体で、当該袋体のレンズ相当部に、レンズ筒の外径と長さを越える円筒状の突出部を設けたことを特徴とする請求項１又は２に記載のカメラの防水具
【請求項６】
上記防水カバーで被包されたカメラがカメラグリップに装着された状態にあって、上記防水カバーの開口部の端末は、カメラグリップの握持部に設けられた収容部に収容されたことを特徴とする請求項１、２又は５に記載のカメラの防水具
【発明の詳細な説明】
【技術分野】
【０００１】  この発明は、カメラ、ビデオカメラなどに適用して好適な防水具に関する。特に、カメラを被包する防水カバーと当該防水カバーを容易に着脱する取り付け具で構成し、取り付け具は、カメラのレンズ筒に容易に、かつ気密に装着できるものであり、防水カバーには流通素材であるポリエチレン袋などを使用することができる。
【背景技術】
【０００２】  従来のカメラの防水具としては、水中で使用するために、カメラを防水ケース（カメラハウジング）に収容するものと、雨天時の地上で使用する場合に、防水カバー（レインコート、レインカバー）でカメラを防水するものとに大別される。【０００３】  カメラ等を水中等で使用する場合は、耐水圧の防水構造が必要とされるので、カメラをカメラの外形相当に形成したケースに収納し、カメラの操作は、ケース外部に貫通するボタンで行われるので、カメラの形状や操作ボタンに対応した専用のものとなり、一般に小型のデジタルカメラに適用されているが、一眼レフレックスカメラ用のものはなく、また、高価である。【０００４】  雨天時の地上での撮影に使用するカメラの防水具には、上記の耐水圧防水ケースを使用するほか、一般には、軟質で薄手のビニールや防水布などでカメラを被う防水具が使用されおり、カメラレインコートあるいはカメラレインカバーと呼ばれているが、それぞれの従来例を図１０、図１１に示す。【０００５】  図１０に示すカメラレインコートは、紡錘状に形成した透明なビニールの防水カバー５１をカメラ１０に被せ、このカバー部材の正面に円板状のゴム部材５２を貼り、この部分に窓孔５３を設け、この窓孔５３からレンズ筒９を突出して使用するものである。防水カバー５１は、カメラのみを被覆する小型のものや、頭部、および上半身まで被れるレインコート状のものもある。【０００６】  また、図１１は、主として自然写真の撮影のためのカメラの防水具であり、防寒や迷彩を施した防水布材（レインカバー）５６を筒袖状にしてレンズ筒９を被包し、この筒袖部５８の先端部に巾着状の紐５７と緊縛具（コードロック）５９を設けて、レンズ筒９に取り付けるものである。自然写真では超望遠レンズも使用されるので、筒袖部５８の長さは、おおよそ２００ｍｍ〜５００ｍｍが必要とされ、Ｓ、Ｍ、Ｌなどに区分されている。【０００７】  したがって、上記の２例ともに、レンズ筒の先端部はカバー部材から突出しているので、防水はなされず、風雨により、あるいは臨海では海水に濡れてしまうことがある。また、カメラの操作は、レインカバーの下部の開口部より手を挿入して行うが、カバー外部から操作することはできない。
【発明の開示】
【発明が解決しようとする課題】
【０００８】  上述のように、従来のカメラの防水カバーは、カバー部がゴム板の窓孔やコードロックでレンズ筒に係止する構造なので、取り付け部とレンズ筒との気密性は完全ではなく浸水することが懸念される。また、カバー部の形状や容積は固定されるので、適用できるカメラやレンズの種類が制限される。例えば、小型のデジタルカメラには適合するものはない。【０００９】  本来、カバー部材は、カメラの形状への係合性やカバー外部からのカメラの操作性などから、透明であり、できるだけ軟質で薄手のものがよいが、強度や耐久性が悪くなるので、損傷した場合には容易に交換できることが望ましい。すなわち、防水カバーが消耗材として取り扱われることが要件となる。【００１０】  本発明は、このような点に鑑みて成されたものであり、カバー部材は取り付け具から容易に着脱することができ、カバー部材には、安価で多様な寸法のものが流通上日常的に入手できるポリエチレンシート袋などを使用することで、従来はカメラの防水具の主要な構成体であったカバー部材をディスポザブル（使い捨て）とすることができるようにした。【００１１】  また、この取り付け具は、上記のカバー部材を簡単に着脱できる要件を満たし、堅牢で、且つレンズ筒に対して気密性が保持されていることが必要である。さらに、口径の異なるレンズ筒を備えたカメラやビデオカメラにも適合し、さらに、小型のデジタルカメラにも装着することがができることを目的とする。
【課題を解決するための手段】
【００１２】  上述の課題を解決するため、請求項１に記載したこの発明に係るカメラの防水具は、防水部材として軟質で薄手のカバー材を使用する防水具にあって、防水具は防水カバーと当該防水カバーを取り付ける取り付け具から構成され、上記取り付け具は、互いに係合する一対のリング状体で構成され、内側のリング状体はレンズ筒に係着固定される装着体として、外側のリング状体は上記装着体に上記防水カバーを防水状態に係止する止着体として構成されたことを特徴とする。【００１３】  上記取り付け具は、上記装着体の外周にオス型ネジを設け一端に鍔部を設もうけ、上記止着体の内側に上記装着体のネジに螺合するネジが設けられたことを特徴とする。【００１４】  以上の構成において、装着体をカバー部材で被覆した状態で装着体に止着体を螺入すると、上記のネジの間にカバー部材が挟着されて取り付け具に防水カバーが取り付けられる。この取り付け具をレンズ筒に装着するには、装着体の鍔部の入口部にレンズ筒の先端を嵌入すればよい。【００１５】  ただし、レンズ筒の先端にフィルターやフードを取り付けたい場合では、レンズ筒の先端にはバヨネット状の突出などがあり、装着体の出口面まで挿入することはできないので、レンズ筒が通過できる口径の大きな取り付け具を使用することが必要となる。このために、装着体の中空内径とレンズ筒、あるいはレンズ筒に装着するフィルター枠の外径に係合する鍔状の支持体を設ける。【００１６】  上述のように支持体とフィルター枠を使用する構造にすれば、フィルター枠をレンズ筒の先端に係着することにより、取り付く具をレンズ筒に装着することができる。口径が異なる（小さい）レンズ筒にはステップアップリングを介在して簡単に装着できる。【００１７】  小型のデジタルカメラのレンズ筒は、一般に、不使用時では本体内に収納されているので、上述の取り付け具は装着できない。【００１８】  このため、装着体に、レンズ筒の突出に相当する外筐部を設け、カメラへの取り付けの一例として、当該外筐部にＬ字状の取り付け座を設け、当該取り付け座はカメラに取り付けられる。【００１９】  この発明では、防水カバー部材として、流通素材のポリエチレンシート袋などを適用することができるが、携帯性や風などの抵抗性から、防水カバーはカメラの外形にできるだけフィトした方がよい。好適な防水カバーの構成は、カメラの本体を被包する矩形体状の袋体で、側方の一端が解放され、レンズ相当部にレンズ筒の外径と長さを越える円筒状の突出部を設けたことを特徴とする。【００２０】  上述のように、防水カバーの矩形体状の袋体はカメラを収納するために側方部が開放されている。この開口部の封止と携帯性をよくするために、防水カバーで被包されたカメラをカメラグリップに装着して、このカメラグリップの握持部に防水カバーの開口部端末を収容する収容部を設ける。
【発明の効果】
【００２１】  以上説明したように本発明によれば、カメラを被包する防水用のカバー部材は、装着体と止着体との螺合、開放によって簡単に着脱することができるので、ディスポザブル（使い捨て）にすることが可能となる。また、使用する機材によって適合する大きさのカバー部材を選択することもできる。防水カバーの取り付け具は、鍔状の支持体とフィルター枠を介在して、簡単にレンズ筒に装着することができるので、本発明の防水具はすべてのカメラやビデオカメラに使用することが可能である。【００２２】  また、この取り付け具を使用すれば、防水カバー部材２は流通素材を使用して、使用者が独自に加工することも可能であり、これまで特殊部門であった土木建築、鑑識、報道などの広い分野で、雨天時において高性能な一眼レフレックスカメラなども使用することができる。さらに、防水具を装着したままでＵＳＢ線が取り出せるので、即時の送信も可能となる。
【発明を実施するための最良の形態】
【００２３】  以下、本発明の実施の形態を図面に基づき詳細に説明する。【００２４】  図１はこの発明に係るカメラの防水具の分解斜視図であり、図２は防水具をカメラに装着した状態を示す斜視図である。図１に示すように防水具１はカメラ１０を被う防水カバー１ａと取り付け具１ｂとで構成される。防水カバー１ａのカバー部材２には流通素材で安価なポリエチレンシート袋などが使用されるが、詳細については後述する。【００２５】  取り付け具１ｂは、図１に示すように、おおよそ２ｃｍ幅ほどの一対の螺合するリングで構成されており、装着体４はその外周にオス型ネジ４ａが施され、一端（レンズ筒側）には鍔部４ｂが設けられており、止着体５は装着体４に螺合するメス型ネジ５ａが施されたリングであり、好適にはリングの表面に滑り止め６が施されて螺入しやすくしている。【００２６】  取り付け具１ｂの素材としては、硬質で成形しやすいプラスチックなどが使用される。止着体５はリング状なので、握力による歪みを生じない硬質ものがよく、かつ滑らかに装着体４に螺合することが必要であり、装着体４はレンズ筒９と嵌合するので、ある程度の弾力性が必要であり、嵌合部の気密性の良いことも要件となる。【００２７】  カバー部材２のポリエチレンシート袋は、厚さ０．０２〜０．０５ｍｍ程度のポリエチレンシート袋が使用可能である。カバー部材２を装着体４に取り付けるには、図１に示すように、レンズ筒９に装着体４を取り付けて、装着体４とカメラ１０にカバー部材２を被包する。この場合、ポリエチレンシート面は装着体４の開口面４ｄと装着体４のネジ４ａ面を被覆する。このような状態で止着体５をポリエチレンシート面の上から装着体４に螺入すると図２の状態になる。【００２８】  図３は図２の中央縦断面である。図３に示すようにカバー部材２ｂは装着体４と止着体５のネジ間に挟まれ、かつネジに沿って波状に蛇行するので雨水の浸入を防止することができる。また、取り付け具１ｂから防水カバー１ａは外れない。さらに、止着体５の螺入を進めると、鍔部４ｂにカバー部材２が圧接して水の浸入を防ぐことができる。好適には鍔部４ｂにパッキン材７を設けると気密性を一層高めることができる。【００２９】  上述の状態では、図１に示すようにカバー部材２ａが装着体４の開口部４ｄを蓋い、撮影の光路が妨害されるので、図２に示すように防水カバー１ａを取り付け具１ｂに取り付けた後に、上記のカバー部材２ａをカッターなどで切除して光路を確保する。【００３０】  上述の防水カバーの取り付け具１ｂをレンズ筒に装着するには、図３に示すように装着体４の鍔部４ｂの嵌合部４ｃにレンズ筒９の先端を嵌入すればよい。【００３１】  ただし、レンズ筒９の先端にフィルターやフードを取り付けたい場合では、レンズ筒９を装着体４の出口面４ｄまで挿入することが必要である。しかし、図３に示すようにレンズ筒９の先端にはバヨネット状の突出９ａなどがあって装着体４の中空内をレンズ筒９が通過することができない。このためには、図４に示すようにレンズ筒９（またはフィルター枠１１）の口径より大きな装着体４を使用し、装着体４の中空内径とレンズ筒９（またはフィルター枠１１）の外径に係合する鍔状の支持体１２を設ける。【００３２】  図４に示すように支持体１２にフィルター枠１１を一体状に装着してあれば、フィルター枠のオス型ネジ１１ａをレンズ筒９のメス型ネジ９ｂに螺着することにより、支持体１２を介在して、取り付け具１ｂをカメラ１０に装着することができる。上記フィルター枠１１の前面にはメス型ネジ１１ｂが施されているのでフードなどを装着することができる。上述において、支持体１２に係止されたフィルター枠１１とレンズ筒９の口径が異なる（小さい）場合には、ステップアップリングを介在して簡単に装着することができる。【００３３】  小型のデジタルカメラのレンズ筒は、一般に、不使用時には本体内に収納されているので、上述の取り付け具１ｂは装着できない。【００３４】  図５は取り付け具１ｂを小型デジタルカメラに装着する場合の実施例の構成を示す分解斜視図である。図５に示すように現状の小型デジタルカメラでは、電源のｏｎ，ｏｆｆによりレンズの窓２６が自動的に開閉し、レンズ筒２５が突出、あるいは収納される。また、レンズ筒２５の先端には、図４のフィルター枠１１に螺合するメス型ネジ９ｂのないものが多く、前記のフィルター枠１１を介して、装着体４をレンズ筒２５に螺着することができない。【００３５】  このために、図５に示すように突出するレンズ筒２５に相当する円筒状の外筐部２１を設け、この外筐部２１の一端に装着体４を係合する。また、この外筐部２１の他端にＬ字状の取り付け座２３を設け、この取り付け座２３の底部にカメラの三脚用のネジ孔２４を設け、三脚用のネジ具で取り付け座２３をカメラ１０に固定する。上記のネジ孔２４は長方状にして多種のカメラに係合ができるようにしてある。好適には、図５に示すように外筐２１の前面にアクリルなどの光学歪のない防水蓋２２が一体化されていることが望ましい。【００３６】  本発明に於いて、図１の防水用のカバー部材２としては、所謂、ゴミ袋として日常使用されている大小のポリエチレンシート袋などが適用されることを特徴とする。以下、ポリエチレンシート袋（以下、シートという）を使用した実施例と特徴について述べる。【００３７】  装着可能なシートの厚さは、装着体４の口径やネジ部の構造等に関係するが、０．０２ｍｍ〜０．０４ｍｍ程度のものが使用でき、０．０２ｍｍでは２枚を重ねて使用することもできる。この場合、シート間に防寒材（カイロを含む）や迷彩材を設けることもできる。また、撮影の終了時には、例えば海水などで汚れた場合、一枚目のシートを皮のように剥がせば、カメラは新しいシートに包まれており、周りの機材を汚すことがなく、収納作業が行える。【００３８】  容積１８ｃｍｍｘ２５ｃｍｍ程度のものは、小型のデジタルカメラなどに適し、６５ｃｍｍｘ８０ｃｍｍ程度の大型のものは、頭部まで被るレインコート状にすることができ、また、三脚を使用したビューカメラなどにも使用することができる。【００３９】  透明で薄膜なので、カメラの操作は、シートの外部から行うことができる。デジタルカメラ、ビデオカメラなどの液晶画面はシートを透して確認することができる。ただし、一眼レフレックス型カメラのファインダーでは、シートによる減光と歪により見難くなるので、窓を設けることが必要となる。【０��４０】  図６ａ、ｂはシートにファインダー窓３１を設ける実施例を示し、カメラのファインダー部３１のシートを、図６ａに示すように、ボタンホール３３のように切り開き、両端にテープ留３４を施し、図６ｂに示すように、上記のボタンホール３３にゴムのアイカップ３２を通すとファインダー窓３１を設けることができる。ゴムのアイカップ３２の弾性と軟質なシート（ボタンホール３３）との接合で雨滴の浸入はない。必要であればビニールナ度でアイカップに蓋を施すこともできる。【００４１】  以上の実施例は、本発明に於いて防水用のカバー部材２として、日常使用されているポリエチレンシート袋を適用した実施例であるが、好適には防水カバーの構造はカメラの外形相当であることが望ましい。【００４２】  図７は本発明に好適な防水カバーの構造を示す一例であり、図７に示すようにカメラの本体１０を被包する矩形体状の袋体４１で側方の一端に開口部４１ａが設けてあり、この袋体４１のレンズ相当部にレンズ筒９の外径と長さを越える円筒状の突出部４２を設けたものである。【００４３】  図８は当該防水カバー１ａをカメラに装着した状態を示す。はじめに、図７の開口部４１ａを円筒状突出部４２まで捲くる（例えば靴下を履くときのように）とレンズ筒９の入口部４２ａが現れるので、ここからレンズ筒９を挿入し、止着体５を円筒状突出部４２の先端部４２ｂから通して装着体４に螺入して円筒状突出部４２を取り付け具１ｂに挟着する。図８に示すように円筒状突出部４２の余分の長さは切除し、さらに袋体４１はカメラの本体１０に被せて、本体の側方でねじり、このねじられた係止部４１ｂにワイヤーロック４３やクリップなどで係止する。【００４４】  上述の袋体４１の係止部４１ｂにはカメラとの通信線、例えばレリーズ、ストロボの外部電源、ＵＳＢ線などを通すことができ、開口部４１ａと一緒にねじると防水することができる。小型のデジタルカメラでは携帯用のストラップなどを取り出すことができる。【００４５】  上述の係止部４１ｂをねじる前に、袋体４１に空気を吹き込み風船状にしてからこの風船を圧迫すれば、風船のしぼみ具合により防水具の気密性をテストすることができる。【００４６】  ビデオカメラでは、縦に長方形体の本体部の側面に液晶画面の突出があるが、このビデオカメラに好適な防水カバーとしては上述の実施例を適用することができる。すなわち、液晶画面の突出部を収容する耳状突出部を設けて構成することで可能となる。【００４７】  上記の袋体４１はワイヤーロック４３などで係止して防水されるが、雨天時の携帯ではこの係止部が邪魔になることがある。図９はカメラグリップ４５の握持部４５ａにカバー端末４１ａを収容する実施例を示す。袋体４１でカメラ１０を被包し、カメラグリップ４５の台座４５ｂに取り付ける。カメラグリップ４５の握持部４５ａにはカバーの端末部４１ａを収容する収容部４６が設けられ、この収容部４６には蝶番４６ｂを介して蓋４６ａと下部にはカバーの端末部４１ａを通す入口部４６ｃが設けられている。すなわち、カバー部材４１の開口部は係止部４１ｂでねじられ、その端末４１ａは蓋４６ａを開いて入口部４６ｃから収容部４６に導入される。この場合、カバー部材４１の開口���４１ａからの防水性は確保され、携帯にも便利である。また、この収容部４６にはＵＳＢなどの通信線を収容することもできる。
【図面の簡単な説明】
【００４８】
【図１】防水具の構成を示す分解斜視図である。
【図２】防水具をカメラに装着した状態を示す斜視図である。
【図３】図２の取り付け具の中央縦断面図である。
【図４】フィルター枠と支持体を装着体に取り付けた状態での中央縦断面図である。
【図５】装着体にレンズ筒の外筐とＬ型取り付け座を設けた状態を示す斜視図である。
【図６】カバー部材にファインダー窓を設ける実施例を示す背面図である。
【図７】好適な防水カバーの構造を示す斜視図である。
【図８】図７の防水カバーをカメラに装着した状態を示す斜視図である。
【図９】カメラグリップの握持部にカバーの端末部の収容部を設けた斜視図である。
【図１０】防水カバーの従来例１を示す構成図である。
【図１１】防水カバーの従来例２を示す構成図である。
【符号の説明】
【００４９】１              防水具
１ａ            防水カバー
１ｂ            取り付け具
２              カバー部材
４              装着体
５              止着体
９、２５        レンズ筒
１０            カメラ
１１            フィルター枠
１２            支持体
２１            レンズ外筐部
４１            カバー袋体
４２            円筒状突出部
４５            カメラグリップ
４５ａ          握持部
４６            カバー端末収容部
【図１】
2007058142.tif 000003
【図２】
2007058142.tif 000004
【図３】
2007058142.tif 000005
【図４】
2007058142.tif 000006
【図５】
2007058142.tif 000007
【図６】
2007058142.tif 000008
【図７】
2007058142.tif 000009
【図８】
2007058142.tif 000010
【図９】
2007058142.tif 000011
【図１０】
2007058142.tif 000012
【図１１】
2007058142.tif 000013